(57)【要約】【課題】        本考案は、高齢者等の躓きに依る転倒を防止する為の履物に関し、その課題とする所は、少なくとも履物の爪先部分が約５０ｃｍ地上から離れて滑らかに反り上がるにも関わらず、極めて安定した履物を提供し、擦り足歩きに成り易い高齢者の躓き転倒を防止し、この転倒が原因の寝たきり状態の発生を極力減少させ、可能な限りその介護費用、介護手間を低減させんとするものである。【解決手段】        上記課題を解決する為に、本考案の履物は、その踵部が履物全長の約四分の一の水平な底面を備え、その先端部から爪先部尖端の最も遠いアッパ−部若しくはそれに相当する部分に向かい、約５ｃｍの高さの滑らかな上向き弧状底面を形成した事を特徴とし、そのアッパ−部或はそれに相当する部分及びその内側底面は、夫々高齢者が着用し易い様に形成した事を他の特徴とするものである。【選択図】        図  １【実用新案登録請求の範囲】
【請求項１】
適当な衝撃吸収能を備えた靴底部材と、適当な柔軟性を持つ前記靴底部材に接合するアッパ−部材と、前記アッパ−部材を足首に緊締するひも若しくは面ファスナ−等の緊締部材とより成り、前記靴底部材の踵部内面はやや浅い凹部を形成すると供に、その外面は靴全長の約四分の一の長さの平面を有し、爪先部尖端の最も遠いアッパ−部に向い、約５ｃｍの高さの上向き弧状底面を形成する如く構成した事を特徴とする躓き転倒防止用靴。
【請求項２】
適当なクッション性及び衝撃吸収性を持つ底部材と、適当な柔軟性を持つ前記底部材に接合するつっかけ部材と、前記底部材の一部分を足首部に緊締するひも若しくは面ファスナ−の締め付け部材とより成り、前記底部材の踵部外面は、その全長のほぼ四分の一の長さの平面を備え、爪先部尖端の最も遠いつっかけ部に向い、約５ｃｍの高さの上向き弧状底面を形成する如く構成した事を特徴とする躓き転倒防止用スリッパ−。
【請求項３】
請求項１又は２記載の材質より成る靴又はスリッパ−の爪先に、軽量且つ硬質の爪先キャップを挿通し、前記靴又はスリッパ−の全長のほぼ四分の一の長さの踵部から、前記挿通されたキャップ部の最も遠い部分に向い、約５ｃｍの高さの上向き弧状底面を形成する如く構成した事を特徴とする躓き転倒防止用の靴又はスリッパ−と爪先キャップとの組合せ体。
【考案の詳細な説明】
【考案の詳細な説明】
【技術分野】
【０００１】          本考案は、老人などの歩行時の躓き転倒を防止する為の靴、スリッパ−等の履物に関する。
【背景技術】
【０００２】          現在の高齢化社会に於て、老人の介護問題は、人口の小子化の問題と供に、将来のこの国の深刻な経済並びに社会問題を提起する現象として、速急に解決しなければならない問題である。【０００３】          特に前者の老人介護の問題は、各家庭は勿論、国、自治体の社会並びに経済生活をも圧迫しつつあり、悲惨な個々の社会問題も、日々報ぜられるに至っている。【０００４】          この様な現象を完全に防止する事は不可能であるとしても、各個人の日々の健康上の注意並びに努力に依っては、ある程度の防止は可能である。
例えば、２００３年４月の東京都の調査に依ると、要支援者を含む要介護者は、全国で約３５０万人居り、脳血管障害者２６．１％，高齢による衰弱１７．０％，転倒、骨折１２．４％，痴ホ１１．２％，関節疾患１０．６％，パ−キンソン病１６．５％，その他１６．５％の割合と成っている。【０００５】          この様な要介護者の内、内蔵疾患、高齢による衰弱等の内患者を除き、各人の日頃の注意に依って要介護原因を防げる転倒、骨折等の外患者のみでも、約４４万人にも達しているのが実情である。【０００６】          本来、斯の如き老人の転倒、骨折の原因は、脚力の衰弱と前傾姿勢に依る擦り足歩行によるものが多く、その為に老人の足筋力の強化、擦り足歩行に依る躓き転倒の防止用履物等を提唱し、提案して、これに依る要介護者の増加を防止せんとしているが、未だ顕著な効果を得ていないのが実情である。
本考案も又、この様な老人の躓き転倒防止用履物を提供して、転倒骨折等に依る要介護者、寝たきり病人の発生を可及的に防止する事を目的とするものである。【０００７】
【特許文献１】      特開平５−２７７００１
【特許文献２】      特開平５−２７９９０１
【特許文献３】      特開２０００−３２５１０３
【考案の開示】
【考案が解決しようとする課題】
【０００８】          本来、高齢者特に老齢に達するとその筋力は衰弱し、上半身特に頭部の重量を支え難く、ややもすると前傾姿勢と成り、必然的に体重は爪先に掛かり、歩行時には、図５（Ａ）の（ｆ１）で示す如く擦り足となり、その爪先部（Ｔ１）は、些細な突出物例えば敷居等に足を取られて転倒し、骨折して寝たきりとなる場合が頻繁に発生している。【０００９】          この様な問題を解決せんとして特許文献１及び２は、逆ヒ−ル靴底及び足袋底（１）に所定材料のアッパ−部を接合し、そのトウボックス（３）の幅を、ボ−ルジョイント部（５）の幅より大きくすると共に、その踵部（４）の傾斜を爪先方向え１０度以上傾け、更にトウスプリング（２）の高さを２ｃｍ以上のものとした事を特徴とし、老人歩行の改善、歩行姿勢の矯正、腰痛、膝関節症、足関節症の治療に役立てんとする技術を提案している。【００１０】          又、特許文献３の技術には、靴の爪先部に孔を開けるか、窓を設けるかして、足感覚を敏感にし、脳えの刺激を活性化して躓きを防止し、更に水虫、悪臭の発生をも防止し得る靴を提案している。【００１１】          然しながら、特許文献１及び２の技術は、老人の前傾姿勢をそのままで上向かせる事は出来るかも知れないが、硬直化した前傾部分の矯正は不可能に近く、反り返らされた体形はかえって不安定と成り、又二重構造と成っている靴底とトウボックス部とは、新たな躓き部分を形成するとも考えられる。
一方、特許文献３の靴は、水虫、悪臭の発生の原因を排除する事は出来ても、相当鈍感に成っている老人の爪先の運動感覚を、単なる通風位で復活させ得るとは、考え難い所である。
本考案は、この様な従来型の老人躓き防止用履物の欠点を改良した新規物品を提案して、高齢者の安全な歩行を約束し、その運動意欲を高め、いささかでも要介護者の発生を防止し、個人並びに社会の物心両面の負担を軽減せんとするものである。
【課題を解決する為の手段】
【００１２】          本来、健康人は、図５（Ｂ）に示す如く、その重心が常に踵上に掛かる様に構成され、又それを維持する如く鍛錬されているが、高齢に成ると筋骨の衰えと上半身の重みに耐え切れず、図５（Ａ）の如く、やや前方に移行して全体的に前傾姿勢（Ｌ１）（Ｌ３）と成って来るのが常である。
この様な前傾姿勢では、歩行時には、必然的に（ｆ１）（ｆ３）に示す様に擦り足となり、その前足先（Ｔ１）（Ｔ３）は、僅かな高さの障害物（５０）にも躓き転倒する。
これに反し健康人は、正常姿勢（Ｌ２）の為  、その前足先（Ｔ２）はやや上向き方向（ｆ２）に運ばれて、障害物（５０）に躓く事は全くなく、又前傾姿勢（Ｌ３）の人であっても、足先（Ｔ３）が図５（Ｃ）に（Ｋ）で示す如く、適当にそり返っているならば、その心配は全くない。  本考案は、この様な（Ｃ）形状の履物を提供するものである。
【００１３】          此の様な理由に従い、本考案の躓き転倒防止用履物は、その踵部の外面は履物全長の約四分の一の長さの平面を持ち、その先端部分から爪先部の尖端の最も遠いアッパ−部に向い、約５ｃｍの高さの上向き弧状底面を形成する如く構成し、前傾姿勢であっても充分踵部で安定して上体部を支承し、例え擦り足歩行であっても、アッパ−部最尖端に向かい反り返るスム−スな曲線に添って、靴底面が何の支障もなく前進出来る様に設計されているので、歩行途中の面上の突起又は障害物は、図５（Ｃ）に示す如く無難に乗り越える事が可能となる。
又此の爪先部の高さ約５ｃｍのスム−スな反り返り上向き曲線は、同形状の硬質キャップを、通常の履物の尖端部に挿入する事に依っても形成することも出来る。
【考案の効果】
【００１４】          斯くて本考案は、然程の改良を加える事なく通常の履物例えば男女用革靴、スニ−カ−、布靴、スリッパ−、サンダル等と同様に、安価な老人用躓き転倒防止用履物を提供出来るので、室内外を問わず躓きに依る転倒を防止することが出来、この転倒に依る骨折を防止し、延ては此が原因の寝たきり病人の発生を著しく減少させると同時に、転倒の恐怖の除去に依る使用者の安心感から、自立の意欲を向上させる付帯効果も合わせ持っている。
又、上記履物の爪先と同形状の硬質キャップを使用すれば、通常の履物でもほぼ同程度の歩行効果を得られるので、特に室内でのスリッパ等に使用すれば極めて安価な此の種履物組合せ体を提供出来る利益がある。
【考案を実施するための最良の形態】
【００１５】          斯の如き理由から、本考案を実施する最良の形態は、先ず第一に履物の踵部の底面を、その全長の約四分の一の長さの平面として直立安定性を確保し、この先端部から爪先尖端の最も遠いアッパ−部に向かい、スム−スに上向きに曲がる上向き弧状底面を形成して、前記踵部底面からの高さを、約５ｃｍに確保し、擦り足で歩行する高齢使用者の爪先が、支障なく障害物の端を乗り越え、安定して爾後の歩行を続行し得る様に形成する事である。
次いで注意すべき実施形態は、上記履物が高齢使用者の足首に容易にしかも確実に装着される様に、面ファスナ−の如き取り扱い易い緊締具を使用する事である。
斯くて躓き転倒も防止され、使用者も歩行に自信を持ち、筋力も増大して自立の道を着実に歩む事が出来るので、その社会的効果は多大と見做す事が出来る。
以下に好個の実施例を参照して本考案を説明する。
【実施例１】
【００１６】          図１及び図２は、本考案の躓き転倒防止用靴（１）を示し、主として適当な材料よりなる靴底部（２）、アッパ−部（６）及びひも若しくは面ファスナ（７）より成る緊締部より構成されている。【００１７】          この様な構造の靴（１）は、使用対象者が脚部筋力の衰えた高齢者であるから、比較的軽量で足首に馴染み易い材料例えば布製のアッパ−部（５）を備え、比較的硬質の例えば合成樹脂又は合成樹脂含浸布製の防水側帯部（３）を介して、例えばゴム、合成樹脂或は皮革等より成る靴底部（２）に接合され、必要に応じて前記側帯部の適所に、適当な蛍光塗料等を塗布するのが好ましい。【００１８】          又、その使用者は、身体の不自由な部分、例えば手足の疾病羅患者が多いと推察されるので、靴の構造は可及的に履き易く且つ結帯し易いもの、例えば広い履き口（６）を持ち面ファスナ−の足首結帯部（７）を備えているのが好ましい。
勿論この締め付け部（９）は、図２に示す如く、合成樹脂、皮革等を前記アッパ−部に縫合又は貼着し、ひも（７）で緊締する様に構成しても差しつかえない。【００１９】          然しながら、この種躓き転倒防止用靴（１）の最も重要な特徴は、その靴底にあり、特にその内側は、符号（Ｌ）で示す如く、使用者足首がしっくりと靴底内面上に適合すると共に、その踵部（Ｗ）が（８）で示す如く、安定して大地に接触する如く形成される事である。【００２０】          更に又この踵部（Ｗ）は、靴全長の約四分の一の寸法を有し、その先端（Ｐ）点から、爪先部（５）の靴底前面部の最も遠い点（４）に向かい、上向き弧状に均等にそり返り、地面からの高さ（ｈ）が約５ｃｍとなる様に形成されている。
この様な靴底面の曲線は、可能な限り地面に接する面が広い事が好ましく、靴先端の底面（１０）の反り返りは極自然な曲線を形成するのが好ましく、爪先側部（１１）及び爪先部（５）の内部は、多少の足指運動の余裕空間を残しているのが好ましい。【００２１】          図３には女性用の躓き転倒防止用靴（３１）が示されているが、それが履き口の広いチャイニ−ズシュ−ズ型ロ−ヒ−ルの態様である事を除き、上記男性用転倒防止用靴（１）と同様であり、従って相当する部分は、相当する数字で表示されている。
【実施例２】
【００２２】          図４は本考案の他の態様の躓き転倒防止用履き物即ちスリッパ−（４１）が示されている。
これは室内上履き用の為、材質が柔らかく突っかけ状の履き物で、筋力の衰弱し、前傾姿勢で歩行する高齢者用であるから、その底部後半部分に雌雄面ファスナ−（Ｈ）（Ｍ）の縫着された足首結帯部材（Ｇ）（Ｇ）が取り付けられ、そのアッパ−部が、突っかけ部分（４５）である事をを除き、他の形成部分、作用、及び効果も上記２態様と同等であり、相当する部分は相当する符号で示されているので、その説明は省略する。
然しながら、本考案の上記スリッパ−（４１）又は通常のスリッパ−（図示せず）は、供に躓き防止用キャップ（Ｋ）をその爪先部に挿着する事に依って、上記と同様な効果を得る事が可能であるので以下に簡単に説明する。【００２３】          図４に於て、室内上履きのスリッパ−（４１）の突っかけ部分（４５）の爪先高さ（ｈ）を、約５ｃｍに維持する為には、上記した如く踵部（４８）の長さ部分（ｗ）の先端部からスム−スに上向きにそり返らねばならないが、既にこの曲線に等しく形成された外面を持ち、しかもスリッパ−（４２）の底部よりやや硬質のキャップ（Ｋ）を準備しておけば、この先端にこれを被せるだけで、通常のスリッパ−であっても、その先端は（４２’）の如く変形し、上記必要高さ（ｈ）を常時維持する事が出来、図５（Ｃ）の如く、例え擦り足（Ｌ３）であっても、障害物（５０）を易々と乗り越え、上記実施例の履物と同様に躓き転倒を防止する事が出来る。
【産業上の利用可能性】
【００２４】          この様な構造並びに作用、効果を持つ履物は、製造上さして困難な技術でもなく、極く普通の材料で製造出来るので、年々増加し続ける高齢化社会の転倒骨折患者の救済の為に、極めて有意義な商品とみなす事が出来、かかる履物を利用する事に依って、ある程度の寝たきり患者、要介護患者を減少させ、家庭、自治体並びに国家の福祉、介護予算を減少させ得るので、その利用可能性は大なるものと推測される。
【図面の簡単な説明】
【００２５】
【図１】  本考案の躓き転倒防止用靴の側面図である。
【図２】  図１の靴と類似の靴の書面斜視図である。
【図３】  本考案の女性用の躓き転倒防止用靴の斜視図である。
【図４】  本考案の躓き転倒防止用スリッパ−の一部切断正面図である。
【図５】  高齢者の躓き転倒及びその防止を説明する説明図である。
【符号の説明】
【００２６】  １        男性靴
２        靴底
４        靴底前面部の踵後部から最も遠い点
５        アッパ−爪先部
６        アッパ−部
７        面ファスナ−部
８        踵部接触面
１０        靴先端の底面
ｈ        爪先最先端の血面からの高さ
ｗ        踵部
【図１】
0003103389.tif 000002
【図２】
0003103389.tif 000003
【図３】
0003103389.tif 000004
【図４】
0003103389.tif 000005
【図５】
0003103389.tif 000006